(57)【特許請求の範囲】
【請求項１】
吸収体が透水性シートで被覆されている生理用タンポンにおいて、
前記吸収体は、繊維を個別の塊とした繊維塊を複数集合させた集合体で形成されており、前記繊維塊が圧縮され、少なくとも吸収体の周囲部分に位置する前記繊維塊が、互いに密着して水素結合されていることを特徴とする生理用タンポン。
【請求項２】
前記吸収体の中心部に位置する前記繊維塊の密度が、前記吸収体の周囲部に位置する前記繊維塊の密度より高い請求項１記載の生理用タンポン。
【請求項３】
前記吸収体の中心部に位置する前記繊維塊が非セルロース系繊維のみまたはセルロース系繊維と非セルロース系繊維とで形成され、前記吸収体の周囲部に位置する前記繊維塊がセルロース系繊維のみまたはセルロース系繊維と非セルロース系繊維とで形成されており、前記中心部に位置する繊維塊が前記周囲部に位置する繊維塊よりも多くの非セルロース系繊維を含む請求項１または２記載の生理用タンポン。
【請求項４】
塊の芯部の密度がその塊の鞘部の密度より高くされた繊維塊を含む請求項１記載の生理用タンポン。
【請求項５】
塊の芯部が非セルロース系繊維のみまたはセルロース系繊維と非セルロース系繊維とで形成され、その塊の鞘部がセルロース系繊維のみまたはセルロース系繊維と非セルロース系繊維とで形成されており、芯部が鞘部よりも多くの非セルロース系繊維を含んだ繊維塊を含む請求項１または４記載の生理用タンポン。
【請求項６】
繊維塊はセルロース系繊維と非セルロース系繊維とを含有し、個々の繊維塊におけるセルロース系繊維と非セルロース系繊維との配合割合が０．５〜４：１である請求項１記載の生理用タンポン。
【請求項７】
吸収体の平均繊維密度が０．２〜０．９ｇ／ｃｍ３である請求項１〜６のいずれかに記載の生理用タンポン。
【請求項８】
吸収体が透水性シートで被覆されている生理用タンポンにおいて、
前記吸収体は、圧縮されて水素結合した繊維を有するウエッブと、繊維を個別の塊とした繊維塊とを有しており、前記ウエッブ内に、前記ウエッブよりも高い密度に圧縮された複数の前記繊維塊が含まれていることを特徴とする生理用タンポン。
【請求項９】
吸収体が透水性シートで被覆されている生理用タンポンにおいて、
前記吸収体は、圧縮されて水素結合した繊維を有するウエッブと、繊維を個別の塊とした繊維塊とを有し、前記ウエッブ内に複数の前記繊維塊が含まれており、
前記ウエッブは、圧縮されて水素結合したセルロース系繊維のみまたはセルロース系繊維と非セルロース系繊維とで形成され、前記繊維塊は、非セルロース系繊維のみまたは非セルロース系繊維とセルロース系繊維とで形成されており、前記繊維塊での非セルロース系繊維の含有率が、前記ウエッブ内での非セルロース系繊維の含有率よりも高いことを特徴とする生理用タンポン。
【請求項１０】
前記繊維塊は、繊維を巻くことにより形成されている請求項１〜９のいずれかに記載の生理用タンポン。
【発明の詳細な説明】
【０００１】
【発明の属する技術分野】
本発明は膣内に挿入して経血を吸収させる生理用タンポンに関する。
【０００２】
【従来の技術】
近年、生理用タンポンとして、種々の製品が開発されている。例えば特開平１−１４６５４８号には、親水性繊維からなる吸収体と、親水性繊維が混入された疎水性シートで形成された外層とからなる生理用タンポンが開示されている。また特開平３−１４６０５８号には、円柱状の高圧縮されたコアと外側の襞とからなるタンポンが開示されている。さらに特開平５−６８６９５号では、繊維密度が高いシートと繊維密度の低いシートとが組み合わされ、円柱状に成形したときに繊維密度が低いシートが表面に部分的に現れるようにしたタンポンが開示されている。これらのタンポンは、吸収性繊維素材が圧縮されて円柱状に形成され、使用時においては経血を吸収することによって圧縮が解除される。その結果、タンポンは膨張して膣腔を閉塞し、その後連続して排出される経血を吸収する。
【０００３】
【発明が解決しようとする課題】
しかし、これらのタンポンは一体化された繊維マットを高圧縮させて円柱形に形成したものであり、前記繊維マットの剛性が高くなって元の大きさに復元しづらく、また膣の形状に完全に合わないため、タンポンと膣との間に隙間が生じ、経血が外へ漏れやすいという欠点を有する。
【０００４】
一方、特開昭６２−２３６５４７号には、複数の繊維塊からなるタンポンが開示されている。このタンポンでは、繊維塊どうしの間に空間が存在しており、容易に変形するため膣形状にフィットする。しかし前記タンポンには繊維塊との間に空間が設られているため、吸収速度を高める為に繊維密度の低い繊維塊を使用するとタンポン全体の繊維重量が小さくなり、タンポン全体としての吸収量が低下する。一方、吸収量を上げるため、高密度の繊維塊を用いると、各繊維塊における吸収速度が低下する。さらにまた、このタンポンでは繊維塊の間に空間が存在するため、タンポン自体に剛性がなく、体内への挿入が難しい。
【０００５】
本発明の目的は上記課題を解決するためのものであり、高い吸収性を持ち、且つタンポンと膣との間に隙間が生じにくいタンポンを提供することにある。
【０００６】
【課題を解決するための手段】
第１の本発明は、吸収体が透水性シートで被覆されている生理用タンポンにおいて、
前記吸収体は、繊維を個別の塊とした繊維塊を複数集合させた集合体で形成されており、前記繊維塊が圧縮され、少なくとも吸収体の周囲部分に位置する前記繊維塊が、互いに密着して水素結合されていることを特徴とするものである。
【０００７】
本発明の生理用タンポンの吸収体は、複数の繊維塊が密着して形成されている。このタンポンは、膣内に挿入後、少量の液体に触れると繊維塊どうしの水素結合が外れ、各々の繊維塊が独立した挙動を示し、また、圧縮されていた繊維塊が元の大きさへ復元する。よって、タンポンが膣壁にフィットし、タンポンと膣との間に隙間が生じなくなる。また、繊維塊が圧縮されて密着し、少なくとも周囲部に位置する繊維塊が水素結合されているため、剛性が高く、タンポンを体内へ挿入し易い。
【０００８】
前記吸収体の中心部に位置する前記繊維塊の密度を、周囲部に位置する前記繊維塊の密度より高くすることができる。このタンポンでは、周囲部に位置する繊維塊の密度が低いため、この周囲部に位置する繊維塊が液体を急速に吸収して水素結合が外れ、吸収体全体に自由度ができる。その結果中心部に位置する密度の高い繊維塊が自由になる。この密度の高い繊維塊は、液体を吸収したときの膨張力が大きいために吸収体全体が膨らんで膣腔内に密着しやすくなる。
【０００９】
または、前記吸収体の中心部に位置する繊維塊が非セルロース系繊維のみまたはセルロース系繊維と非セルロース系繊維とで形成され、周囲部に位置する前記繊維塊がセルロース系繊維のみまたはセルロース系繊維と非セルロース系繊維とで形成されており、中心部に位置する繊維塊が周囲部に位置する繊維塊よりも多くの非セルロース系繊維を含むことも可能である。このタンポンでは、中心部に位置する繊維塊が主に非セルロース系繊維で形成されているため弾性回復力が高くなり、周囲部に位置するセルロース系繊維を主体とする繊維塊が液体を吸収して繊維塊どうしの水素結合が外れたときに、中心部に位置する繊維塊の膨張力により、吸収体が急速に膨張できるようになる。
【００１０】
さらに、芯部の密度が鞘部の密度より高い繊維塊を含ませてもよい。
その他、芯部が非セルロース系繊維のみまたはセルロース系繊維と非セルロース系繊維とで形成され、鞘部がセルロース系繊維のみまたはセルロース系繊維と非セルロース系繊維とで形成されており、芯部が鞘部よりも多くの非セルロース系繊維を含むものであってもよい。
【００１１】
本発明では、繊維塊がセルロース系繊維と非セルロース系繊維とを含有することが好ましく、繊維塊におけるセルロース系繊維と非セルロース系繊維との配合割合が０．５〜４：１であることが好ましい。
【００１２】
また、吸収体の平均繊維密度が０．２〜０．９ｇ／ｃｍ3であることが好ましい。
【００１３】
第２の本発明は、吸収体が透水性シートで被覆されている生理用タンポンにおいて、
前記吸収体は、圧縮されて水素結合した繊維を有するウエッブと、繊維を個別の塊とした繊維塊とを有しており、前記ウエッブ内に、前記ウエッブよりも高い密度に圧縮された複数の前記繊維塊が含まれていることを特徴とするものである。
【００１４】
または、吸収体が透水性シートで被覆されている生理用タンポンにおいて、前記吸収体は、圧縮されて水素結合したセルロース系繊維のみまたはセルロース系繊維と非セルロース系繊維とを有するウエッブ内に、前記非セルロース系繊維のみまたは非セルロース系繊維とセルロース系繊維とで形成された繊維塊が複数含まれており、前記繊維塊の非セルロース系繊維の含有率がウエッブ内での非セルロース系繊維の含有率よりも高いことを特徴とするものである。
【００１５】
このタンポンでは、繊維ウエッブが液体を急速に吸収して水素結合が外れて吸収体が自由状態になるが、このときウエッブ内に含まれる密度の高い繊維塊または非セルロース系繊維を含む弾性回復率の高い繊維塊が大きく膨張することで、吸収体が膨張し、膣腔内に密着しやすくなる。
【００１６】
また、前記各発明において、前記繊維塊は、繊維を巻くことにより形成されていることが好ましい。特に前記密度の高い繊維塊や非セルロース系繊維の繊維塊が繊維を巻くことで形成されていると、液体を吸収したときの繊維塊の膨張回復力が大きくなる。
【００１７】
【発明の実施の形態】
図１は、本発明のタンポンの全体を示す斜視図、図２は図１に示すタンポンの部分断面図である。
【００１８】
図１に示すタンポン１は、図２に示すように円柱形に圧縮成形された吸収体２の表面が、透水性シート３で覆われて構成されている。タンポン１の後端部１ｅでは、透水性シート３はヒートシールまたはミシンにより縫合されている。さらにタンポン１では、使用後においてタンポン１を膣腔から引き出すときに使用する紐５が、タンポン１の後端部１ｅから延びている。
【００１９】
透水性シート３は、ポリエステル、ポリプロピレン、ポリエチレンテレフタレートなどの疎水性繊維が親水処理されたもので形成されたスパンレース、ポイントボンド、スパンボンド、サーマルボンド不織布、或いは多数箇所開孔されたそれらの不織布、或いは多孔質のプラスチックシートなどで形成される。好ましい例としては、目付けが１２ｇ／ｍ2程度のポリエステルスパンボンド不織布が使用される。さらに紐５は、どのようなものも使用できるが、例えば綿糸（２０番×１６本）を撥水処理した紐が使用される。
【００２０】
吸収体２は、図２に示すように、複数の繊維塊８の集合体であり、この集合体が、例えば直径８〜２０ｍｍ、長さ４〜７ｃｍ程度の円柱形状となるように圧縮成形され、繊維塊８が互いに密着した状態で形成されている。吸収体２の少なくとも周囲部に位置する繊維塊はセルロース系繊維を含むものであり、少なくとも周囲部において隣り合う繊維塊８どうしが、互いに水素結合している。ただし、図２に示す全ての繊維塊８が互いに水素結合していてもよい。
【００２１】
前記繊維塊８は、繊維長が１０〜４０ｍｍ程度の繊維を、渦巻き状または毛毬状に巻き、さらに圧縮したものである。この繊維塊８を透水性シート３で被覆する。このときの大きさは膣腔内に密着できる太さを有している。繊維塊８を透水性シートで被覆したものが加熱下で加圧されて、前記直径８〜２０ｍｍ、長さ４〜７ｃｍ程度の円柱形状に圧縮成型される。このときの加熱加圧により、少なくとも周囲部に位置する繊維塊８（好ましくは全ての繊維塊８）どうしが水素結合する。なお、一つの繊維塊８の重量は１〜３ｇ程度であることが好ましい。
【００２２】
このように圧縮された繊維塊８どうしが水素結合されているため、吸収体２の剛性が高くなり、形状保持性が高くなる。よって、タンポンを体内に挿入し易く、またアプリケータを使用する場合には、形状を保持したままアプリケータから突出しやすくなる。
【００２３】
膣腔内に挿入されて経血を吸収すると、繊維塊８どうしの水素結合が外れて、各繊維塊が自由な挙動を示す。このため、膣の形状にフィットしやすくなる。さらに個々の繊維塊８が経血を吸収して復元し、その結果吸収体２全体が膨張して膣との間に隙間が生じにくくなり、漏れが生じなくなる。
【００２４】
圧縮成形後の吸収体２の平均密度は、０．２〜０．９ｇ／ｃｍ3であることが好ましい。
【００２５】
特に繊維塊８が、繊維を渦巻状または毛毬状に巻いて圧縮したものであると、繊維の巻き解れの復元力により、繊維塊が元の大きさに復元する速度および力が強くなる。
【００２６】
繊維塊８を構成する繊維の具体例としては、セルロース系繊維であるレーヨン繊維、パルプ繊維、コットン繊維などの吸収性を持つ天然繊維のみで形成され、あるいは前記セルロース系繊維に、非セルロース系繊維であるポリエチレン繊維やポリプロピレン繊維やポリエチレンテレフタレート繊維などの合成繊維が含まれていてもよい。セルロース系繊維を主体とすることで、繊維塊８どうしを水素結合させることができる。さらに弾性率（弾性復元率）の高い非セルロース系繊維を含んでいると、繊維塊８どうしの水素結合が外れ、個々の繊維塊８が自由になった状態で、個々の繊維塊８の復元膨張力を大きくすることができる。
【００２７】
このように、繊維塊８どうしを水素結合させて吸収体２の剛性を保ち且つ円柱形状を保持し、さらに水素結合が外れたときの復元力を得るためには、セルロース系繊維と非セルロース系繊維の混合割合（質量比）が０．５〜４：１であることが好ましい。また、セルロース系繊維と非セルロース系繊維とが均一に混合されていることが好ましい。なお、繊維塊８を構成する非セルロース系繊維は親水化処理を施してもよい。
【００２８】
前記繊維塊８の具体的な好ましい例としては、例えば繊維長３２ｍｍ、３．３ｄｔｅｘのレーヨン繊維を巻いて外径５ｍｍ且つ重量２ｇの繊維塊としたもの、または、例えば繊維長３２ｍｍ、３．３ｄｔｅｘのレーヨン繊維８０質量％と、繊維長３８ｍｍ、６．６ｄｔｅｘのポリエステル繊維２０質量％とを混合し、外径５ｍｍの繊維塊としたものである。
【００２９】
図２に示す実施の形態では、吸収体２を構成している複数の繊維塊８が、全てほぼ同じ密度であるが、図３の部分断面図に示す実施の形態では、吸収体２Ａの中心部に位置する繊維塊１１（図３においてハッチングを付している繊維塊）は、吸収体２Ａの周囲部に位置する繊維塊１０より、密度が高くなっている。
【００３０】
前記吸収体２Ａを構成している繊維塊１０と繊維塊１１は、前記繊維塊８と同様に、セルロース系繊維で形成され、またはセルロース系繊維と非セルロース系繊維とが混合されたものであるが、繊維塊１０と繊維塊１１とで密度を相違させている点が図２に示す吸収体２と相違している。
【００３１】
図３に示す吸収体２Ａでは、経血を吸収したときに、密度の低い周囲部の繊維塊１０で即座に吸収され、その後経血は密度の高い中心部へと導かれる。よって吸収速度が早い。経血が吸収されると、各繊維塊１０と１１の水素結合が解かれて、各繊維塊１０と１１が自由状態になるが、このとき密度の高い中心部の繊維塊１１の膨張復元量が大きいために、吸収体２Ａ全体が大きく膨張し、よってタンポン１全体として吸収量が大きくなるとともに、膣腔との密着力が高まる。
【００３２】
また、吸収体２Ａの周囲部に位置する繊維塊１０と中心部に位置する繊維塊１１が共にセルロース系繊維と非セルロース系繊維とで形成され、中心部に位置する繊維塊１１が、周囲部に位置する繊維塊１０より、非セルロース系繊維の含有割合が多くなるように繊維を配合して、各繊維塊１０、１１を形成してもよい。または、周囲部に位置する繊維塊１０をセルロース系繊維のみで形成し、中心部に位置する繊維塊１１をセルロース系繊維と非セルロース繊維との混合体で形成してもよい。あるいは、周囲部に位置する繊維塊１０をセルロース系繊維のみで形成し、中心部に位置する繊維塊１１を非セルロース系繊維のみで形成してもよい。この場合、周囲部の繊維塊１０どうしが主に水素結合したものとなる。このように繊維塊１０と繊維塊１１とでセルロース系繊維と非セルロース系繊維の含有率を変えた吸収体２Ａを構成する場合には、必ずしも繊維塊１１の密度を繊維塊１０の密度よりも高くする必要はない。
【００３３】
この吸収体２Ａでは、周囲部に位置するセルロース系繊維を主体とする繊維塊１０によって経血が急速に吸収される。そして繊維塊どうしの水素結合が外れたときに、中心部に位置する弾性回復力の大きい非セルロース系繊維を主体とする繊維塊１１が大きな復元力により膨張する。よって、経血の吸収時にタンポン全体としての嵩回復が速やかに行なわれる。また、セルロース系繊維どうしは容易に水素結合するので、周囲部に多くセルロース系繊維を配することにより、吸収体２Ａが図１に示すような形態を特に保持しやすくなる。よって、タンポンをアプリケーター内に保存し、使用時にアプリケーターから押出して使用する場合、使用前に空気中の水分などによって圧縮されたタンポンの嵩が元へ戻り、タンポン使用時にアプリケーターから押出すことが困難になる、といった問題が生じにくい。
【００３４】
繊維塊の具体的な好ましい例としては、中心部に配される繊維塊１１は、繊維長３２ｍｍ、３．３ｄｔｅｘのレーヨン繊維５０％と、繊維長３８ｍｍ、６．６ｄｔｅｘのポリエステル繊維５０％とを混合し、外径５ｍｍの繊維塊が使用される。一方、周囲部に配される繊維塊１０は、繊維長３２ｍｍ、３．３ｄｔｅｘのレーヨン繊維のみからなる、外径５ｍｍの繊維塊が使用される。
【００３５】
図４は、本発明のさらに他の実施の形態のタンポンを示す部分断面図である。図４に示す吸収体２Ｂでは、各繊維塊１５が芯部１５ａ（ハッチングが付されている部分）と芯部１５ａを取り囲む鞘部１５ｂとから構成されている。芯部１５ａと鞘部１５ｂは、共にセルロース系繊維のみで形成されている。あるいはセルロース系繊維と非セルロース系繊維が０．５〜４：１の質量比となるように均一に混合されて形成されている。ただし、芯部１５ａは鞘部１５ｂより繊維密度が高くなっている。
【００３６】
この場合、個々の繊維塊１５が鞘部１５ｂにおいて経血を急速に吸収して芯部１５ａに浸透させる。鞘部１５ｂが液体を吸収すると、繊維塊１５どうしの水素結合が外れて各繊維塊１５が自由状態になるが、このとき密度の高い芯部１５ａが大きく復元する。よって経血の吸収時には、嵩回復力が高く、且つ吸収体２Ｂ全体が大きく膨張し、膣腔との間の隙間が確実に塞がれる。
【００３７】
または、繊維塊１５の芯部１５ａと鞘部１５ｂが共にセルロース系繊維と非セルロース系繊維との混合体により形成され、芯部１５ａの方が鞘部１５ｂよりもセルロース系繊維の含有割合が多くなるようにしてもよい。または、鞘部１５ｂをセルロース系繊維のみで形成し、芯部１５ａを非セルロース系繊維のみまたは非セルロース系繊維とセルロース系繊維との混合体で形成してもよい。なお、この場合、芯部１５ａの繊維密度が鞘部１５ｂの繊維密度よりも必ずしも高い必要はない。この例でも、芯部１５ａと鞘部１５ｂは、繊維を巻くことにより形成されていることが好ましい。
【００３８】
この吸収体２Ｂでは、各繊維塊の鞘部１５ｂがセルロース系繊維を主体としているため、個々の繊維塊１５が経血を迅速に吸収する。そして、繊維塊１５の水素結合が外れて個々の繊維塊１５が自由状態になると、芯部１５ａに多く含まれている弾性回復率の高い非セルロース系繊維の巻きが解れ、個々の繊維塊１５が大きく復元し、吸収体２Ｂが膣腔内に密着できるように膨張する。また、容易に水素結合するセルロースが繊維塊の表面に多く存在することになるので、吸収体２Ｂの圧縮成形時には繊維塊１５どうしが確実に水素結合し、吸収体２Ｂの形状保持性が高くなる。
【００３９】
本発明の前記複数の繊維塊によって形成されるタンポンでは、繊維塊は上記の繊維塊１０、１１、１５のどれを組合せて形成しても良い。例えば、図３に示す吸収体２Ａの周囲部の繊維塊または中心部の繊維塊として図４に示す繊維塊１５を用いてもよい。また、図４に示す吸収体２Ｂにおいて、周囲部の繊維塊より中心部の繊維塊が高い密度を持つようにしてもよい。または周囲部の繊維塊の鞘部１５ｂよりも、中心部に位置する繊維塊の芯部の方が、非セルロース系繊維の含有率を高くなるようにしてもよい。
【００４０】
図５は、本発明の他の実施の形態のタンポンを示す部分断面図である。
図５に示すタンポンの吸収体２Ｃでは、繊維ウェッブ２０中に複数の繊維塊１８が点在するように含まれている。あるいは、繊維ウエッブ２０の中心部分に繊維塊１８が密集して位置していてもよい。前記繊維ウエッブ２０はセルロース系繊維を含み、加熱化で圧縮されて繊維どうしが水素結合している。繊維ウエッブ２０はセルロース系繊維のみで形成されてもよいし、セルロース系繊維と非セルロース系繊維との混合体であってもよい。繊維ウエッブ２０を形成する繊維が水素結合していることにより、吸収体２Ｃは剛性が高く形が崩れにくいため、膣腔内に挿入しやすい。またアプリケータを使用する場合には、アプリケータから突出しやすい。
【００４１】
前記繊維塊１８はセルロース系繊維のみまたはセルロース系繊維と非セルロース系繊維との混合体で形成されており、好ましくは繊維を巻くことにより形成されている。そして繊維塊１８の繊維密度は、繊維ウェッブ２０の繊維密度より高くなっている。表面に現れているのが繊維密度の比較的低い繊維ウェッブ２０であるので、吸収速度が早いものとなる。そして急速に吸収された経血は、密度の高い繊維塊１８へと導かれ、経血は吸収体２Ｃの内部へと容易に移動する。繊維ウエッブ２０が液体を吸収して水素結合が外れると、吸収体２Ｃの形状が自由状態になり膣腔内で柔軟に変形できるようになる。また繊維塊１８が液体を吸収すると、密度の高い繊維塊１８が大きく膨張するように復元する。よって、吸収体２Ｃの回復時の嵩が大きくなり、膣腔に密着しやすくなる。
【００４２】
または図５において、繊維ウエッブ２０と繊維塊１８が共にセルロース系繊維と非セルロース系繊維との混合体であり、繊維塊１８での非セルロース系繊維の質量含有率が、繊維ウエッブ２０での非セルロース系繊維の質量含有率よりも高くしてもよい。または、繊維ウエッブ２０がセルロース系繊維と非セルロース系繊維の混合体であり、繊維塊１８が非セルロース系繊維のみで形成されていてもよく、あるいは繊維ウエッブ２０がセルロース系繊維でのみ形成され、繊維塊１８がセルロース系繊維と非セルロース系繊維との混合体または非セルロース系繊維でのみ形成されてもよい。
【００４３】
この場合、繊維ウエッブ２０の水素結合が解かれると、繊維塊１８が非セルロース系繊維の弾性回復率により大きく膨張し、吸収体２Ｃ全体の膨張量が多くなる。
【００４４】
なお繊維塊１８は、前記図４に示した前記繊維塊１５と同じものを使用できる。
【００４５】
図５に示す吸収体２Ｃの製造方法としては、平坦な繊維ウェッブ２０に繊維塊１８をのせ、前記繊維ウェッブを円柱形状に圧縮成形させてもよく、また繊維塊１８を含んだ繊維ウェッブ２０を円柱形状に形成してから加熱圧縮させることもできる。
【００４６】
【発明の効果】
以上述べたように、本発明のタンポンでは、経血の吸収時に各繊維塊どうしの水素結合が外れ、各繊維塊が独立した挙動を示すので、タンポンと膣との間に隙間が生じにくく、経血の漏れが生じにくいものとなる。
【００４７】
さらに、タンポンの中心に位置する繊維塊の密度を高くすると、タンポンを形成する吸収体の中央部へと経血が導かれやすいので、経血の吸収速度が早く、タンポンの膨張速度も早い。また、吸収体の表面だけではなく内部までも有効に活用できる。さらに、タンポンの中心を非セルロース系繊維を多く含んだ繊維塊で構成すると、経血吸収時の嵩回復力が高くなる。よって膣に隙間なくフィットし易くなる。
【００４８】
また、タンポンを構成する繊維塊の芯部を、鞘部より高密度とすることにより、個々の繊維塊の吸収力が高まる。また、芯部に非セルロース系繊維を多く配合すると、繊維塊の嵩回復力が高くなる。よって膣に隙間なくフィットし易くなる。
【００４９】
その他、本発明では、繊維ウェッブ中に密度の高い繊維塊を点在させることにより、タンポン全体としての吸収速度を高め且つ回復復元力を大きくすることができる。
【図面の簡単な説明】
【図１】本発明のタンポンを示す斜視図
【図２】図１に示すタンポンの部分断面図
【図３】他の実施の形態のタンポンを示す部分断面図
【図４】他の実施の形態のタンポンを示す部分断面図
【図５】さらに他の実施の形態のタンポンを示す部分断面図
【符号の説明】
１  タンポン
１ｅ  後端部
２，２Ａ，２Ｂ，２Ｃ  吸収体
３  透水性シート
５  紐
８、１０、１１、１５、１８  繊維塊
１５ａ  芯部
１５ｂ  鞘部
２０  繊維ウェッブ
【図１】
0003725388.tif 000002
【図２】
0003725388.tif 000003
【図３】
0003725388.tif 000004
【図４】
0003725388.tif 000005
【図５】
0003725388.tif 000006